(57)【要約】      （修正有）【課題】複数本の丸太材を単位とした単位丸太柵を、長尺ボルトと高ナットにより、又はこれらにワッシャーを介在させて順次に長尺なフェンスを構築できる丸太柵要素とその組立て工法を提供すること。【解決手段】単位丸太柵４の上端部に挿通する挿通孔３が、ツバ５を一体にした背丈の高い高ナット２の外径を挿通できる孔径のものから、長尺ボルト６を挿通できる孔径のものまであり、ツバのないストレートな高ナットは、使用時に該高ナットの押圧面と嵌入孔の底面間にワッシャーを介在させる。単位丸太柵４の一連の挿通孔３に挿通された長尺ボルト６は、該単位丸太柵４の両端部で高ナット２をネジ部７に螺合されて柵ユニットが形成され、各柵ユニット相互は長尺ボルト６のネジ部７に螺合する高ナット２で接合され、長尺なフェンスが構築される。【選択図】図１
2005188090.tif 000002
【特許請求の範囲】
【請求項１】
長尺ボルトと、該長尺ボルトに螺合するナットと、丸太材の上端部で直径方向に挿通孔を貫設した複数本の丸太材とから成り、該挿通孔に挿通される長尺ボルトに支持されて各丸太材下端相互を所要に開脚して丸太柵を構築できる丸太柵要素において、
（１）ナットが一端部にツバを一体にした背丈の高い高ナットから成り、
（２）長尺ボルトが複数本の丸太材で形成される単位丸太柵の全幅に同等の全長寸法で両端部に所定長さのネジ部を配設して成り、
（３）複数本の単位丸太柵の各丸太材の挿通孔が、前記高ナットの外径を挿通するに足る径で貫設されて成る丸太柵要素。
【請求項２】
前記請求項１に記載の丸太柵要素において、
複数本の丸太材で形成される単位丸太柵が、その上端部に貫設される挿通孔をボルトの挿通できる孔径にして成る主丸太材と、該主丸太材の一面から挿通孔と同芯にツバ付きの高ナットの外径を挿通できる内径と、ツバを除く高ナットの全長を挿通するに足る深さとから成る嵌入孔を形成した端丸太材と、から成る丸太柵要素。
【請求項３】
前記請求項１に記載の丸太柵要素において、
（１）ナットがツバのない背丈の高い高ナットから成り、
（２）複数本の丸太材が、その上端部に貫設される挿通孔をボルトの挿通できる孔径にして成る主丸太材と、該主丸太材の一面から挿通孔と同芯に前記高ナットの外径より大径のワッシャーを挿通できる内径と、該高ナットのスパナ掛け部を突出できる深さとから成る嵌入孔を形成した端丸太材とから成り、
（３）前記嵌入孔の底面と高ナットの押圧面との間にワッシャーを介在させて成る丸太柵要素。
【請求項４】
前記請求項１に記載の丸太柵要素において、単位丸太柵の一端側丸太材の挿通孔に外面から高ナットを挿入し、単位丸太柵の他端側から挿通した長尺ボルトの一端側のネジ部を該高ナットに螺合し、該高ナットのツバをレンチ等の工具で拘束しつつ長尺ボルトの他端側のネジ部にツバを単位丸太柵の他端側丸太材の外面に向けて高ナットを螺合し、単位丸太柵の各丸太材相互を所定の開脚状態で緊結し、次に後続の単位丸太柵の一端側の挿通孔に前部単位丸太柵の他端側の高ナットを挿通し、前記後続の単位丸太柵に挿通された長尺ボルトの一端側のネジ部を該高ナットに螺合するとともに、長尺ボルトの他端側のネジ部に前記と同様に高ナットを螺合し、以下順次に単位丸太柵を緊結してフェンスを構築できることを特徴とする丸太柵の組立て工法。
【請求項５】
請求項２に記載の丸太柵要素において、単位丸太柵の主丸太材の一端側に端丸太材を添設し、該端丸太材の嵌入孔に外面から高ナットを嵌入し、単位丸太柵の挿通孔に挿通した長尺ボルトの一端側のネジ部を該高ナットに螺合し、該高ナットのツバをレンチ等の工具で拘束しつつ長尺ボルトの他端側のネジ部にツバを単位丸太柵の他端側主丸太材の外面に向けて高ナットを螺合し、単位丸太柵の各丸太材相互を所定の開脚状態で緊結し、次に後続の単位丸太柵の一端側端丸太材の嵌入孔に前部単位丸太柵の他端側の高ナットを嵌入し、前記後続の単位丸太柵に挿通された長尺ボルトの一端側のネジ部を該高ナットに螺合するとともに、長尺ボルトの他端側のネジ部に前記と同様に高ナットを螺合し、以下順次に単位丸太柵を緊結してフェンスを構築できることを特徴とする丸太柵の組立て工法。
【請求項６】
請求項３に記載の丸太柵要素において、複数本の主丸太材の両側端に端丸太材を添設して単位丸太柵を形成し、両者の上端部に貫設された挿通孔に長尺ボルトを挿通し、単位丸太柵の一端側の端丸太材の嵌入孔において、該長尺ボルトの一端側のネジ部にワッシャーを介在させて高ナットを螺合し、該高ナットを端丸太材の外面よりスパナ掛け部を突出させるとともに、他端側端丸太材の嵌入孔において、長尺ボルトの他端側のネジ部に、ワッシャーを介在させて一端側高ナットのスパナ掛け部をスパナ等の工具で拘束しつつ他端側の高ナットを螺合し、単位丸太柵の各丸太材相互を所定の開脚状態で緊結し、次に後続の単位丸太柵の挿通孔に挿通した長尺ボルトの一端側のネジ部を前部単位丸太柵の他端側端丸太材の高ナットに螺合し、後部単位丸太柵の他端側端丸太材の嵌入孔において、長尺ボルトの他端側のネジ部にワッシャーを介在させて高ナットを螺合し、順次に単位丸太柵を緊結して長尺なフェンスを構築できることを特徴とする丸太柵の組立て工法。
【発明の詳細な説明】
【技術分野】
【０００１】
本発明は、防風、防雪用の丸太柵の組立て工法に関するものである。
【背景技術】
【０００２】
丸太材を並べて柵を構築するに当って、従来から行なわれている番線で丸太を結束してゆく組立て工法は手作業のために手数がかかっていた。先行技術には特開2002-371563「ユニット式土留柵および土留工法」がある。そのものは法面構成用丸太材と、各該丸太材間に挟まれる基礎支え丸太材とが、その支点部分において長尺のボルトと該ボルトに螺合するナットで固定されて組立てられてゆくものであるが、防風防雪用の丸太柵となるとその長さは大変長くなり、長尺のボルトと言ってもその長さには運搬上や作業上の都合などで限度があり、ボルトの継ぎ足しで組み立てる技術が要求されるものである。
【特許文献１】特開2002-371563号公報
【発明の開示】
【発明が解決しようとする課題】
【０００３】
本発明は、複数本の丸太材を単位とした単位丸太柵を、長尺ボルトと高ナットにより又はこれらにワッシャーを介在させて順次に長尺なフェンスを構築できる丸太柵とその組立て工法を提供しようとする。
【課題を解決するための手段】
【０００４】
上記課題を解決するための請求項１に記載の丸太柵要素は、
長尺ボルトと、該長尺ボルトに螺合するナットと、丸太材の上端部で直径方向に挿通孔を貫設した複数本の丸太材とから成り、該挿通孔に挿通される長尺ボルトに支持されて各丸太材下端相互を所要に開脚して丸太柵を構築できる丸太柵要素において、
（１）ナットが一端部にツバを一体にした高ナットから成り、
（２）長尺ボルトが複数本の丸太材で形成される単位丸太柵の全幅と同等の全長で両端部に所定長さのネジ部を配設して成り、
（３）複数本の単位丸太柵の各丸太材の挿通孔が、前記高ナットを挿通する孔径で貫設されて成る。
請求項２に記載の丸太柵要素は、前記請求項１に記載の丸太柵要素において、複数本の丸太材で形成される単位丸太柵が、その上端部に貫設される挿通孔をボルトの挿通できる孔径にして成る主丸太材と、該主丸太材の一面から挿通孔と同芯にツバ付きの高ナットを挿通できる孔径と、ツバを除く高ナットの全長を挿入するに足る深さとから成る嵌入孔を形成した端丸太材と、から成る。
請求項３に記載の丸太柵は、
前記請求項１に記載の丸太柵において、
（１）ナットがツバのない高ナットから成り、
（２）複数本の丸太材が、その上端部に貫設される挿通孔をボルトの挿通できる孔径にして成る主丸太材と、該主丸太材の一面から挿通孔と同芯に前記高ナットの外径より大径のワッシャーを挿入できる内径と、該高ナットのスパナ掛け部を突出できる深さとから成る嵌入孔を形成した該丸太材とから成り、
（３）前記嵌入孔の底面と高ナットの押圧面との間にワッシャーを介在させて成る。
【０００５】
請求項４に記載の丸太柵の組立て工法は、前記請求項１に記載の丸太柵において、単位丸太柵の一端側の丸太材の挿通孔に外面から高ナットを挿入し、単位丸太柵の他端側から挿通した長尺ボルトの一端側のネジ部を該高ナットに螺合し、該高ナットのツバをレンチ等の工具で拘束しつつ長尺ボルトの他端側のネジ部にツバを単位丸太柵の他端側丸太材の外面に向けて高ナットを螺合し、単位丸太柵の各丸太材相互を所定の開脚状態で緊結し、次に後続の単位丸太柵の一端側の挿通孔に前部単位丸太柵の他端側の高ナットを挿通し、前記後続の単位丸太柵に挿通された長尺ボルトの一端側のネジ部を該高ナットに螺合するとともに、長尺ボルトの他端側のネジ部に前期と同様に高ナットを螺合し、以下順次に単位丸太柵を緊結してフェンスを構築できる。
さらに請求項５に記載の丸太柵の組立て工法は、請求項２に記載の丸太柵要素において、単位丸太柵の主丸太材の一端側に端丸太材を添設し、該端丸太材の嵌入孔に外面から高ナットを嵌入し、単位丸太柵の挿通孔に挿通した長尺ボルトの一端側のネジ部を該高ナットに螺合し、該高ナットのツバをレンチ等の工具で拘束しつつ長尺ボルトの他端側のネジ部にツバを単位丸太柵の他端側主丸太材の外面に向けて高ナットを螺合し、単位丸太柵の各丸太材相互を所定の開脚状態で緊結し、次に後続の単位丸太柵の一端側端丸太材の嵌入孔に前部単位丸太柵の他端側の高ナットを嵌入し、前記後続の単位丸太柵に挿通された長尺ボルトの一端側のネジ部を該高ナットに螺合するとともに、長尺ボルトの他端側のネジ部に前記と同様に高ナットを螺合し、以下順次に単位丸太柵を緊結してフェンスを構築できる。
さらに、請求項６に記載の丸太柵の組立て工法は、請求項３に記載の丸太柵要素において、複数本の主丸太材の両側端に端丸太材を添設して単位丸太柵を形成し、両者の上端部に貫設された挿通孔に長尺ボルトを挿通し、単位丸太柵の一端側の端丸太材の嵌入孔において、該長尺ボルトの一端側のネジ部にワッシャーを介在させて高ナットを螺合し、該高ナットを端丸太材の外面よりスパナ掛け部を突出させるとともに、他端側端丸太材の嵌入孔において、長尺ボルトの他端側のネジ部に、ワッシャーを介在させて一端側高ナットのスパナ掛け部をスパナ等の工具で拘束しつつ他端側の高ナットを螺合し、単位丸太柵の各丸太材相互を所定の開脚状態で緊結し、次に後続の単位丸太柵の挿通孔に挿通した長尺ボルトの一端側のネジ部を前部単位丸太柵の他端側端丸太材の高ナットに螺合し、後部単位丸太柵の他端側端丸太材の嵌入孔において、長尺ボルトの他端側のネジ部にワッシャーを介在させて高ナットを螺合し、順次に単位丸太柵を緊結して長尺なフェンスを構築できる。
【発明の効果】
【０００６】
本発明によれば、複数本の丸太材から成る単位丸太柵を基準として、両端にネジ部を設けた長尺ボルトと、該ネジ部に螺合する高ナットとによって現場でフェンス構築を省力化で達成することができる。
【発明を実施するための最良の形態】
【０００７】
柵ユニットは６本乃至１０本の丸太材から成る単位丸太柵を長尺ボルトと高ナットとで一括りとするものであり、単位丸太柵の丸太材が偶数本の場合は各単位丸太柵の一面を揃えて高ナットで相互間を接合すればよいが、奇数本の場合は、各単位丸太柵を一面と他面を交互に配列して相互間を高ナットで接合することになる。
また、高ナットはツバのあるものからツバのないものまであるが、ツバのない高ナットで単位丸太柵相互を接合するときは、高ナットの押圧面の面積が小さいことから、該押圧面と高ナットの嵌入孔の底面間にワッシャーを介在させるのがよい。また、この高ナットでは該嵌入孔に収まった状態で丸太材の外面よりスパナ掛け部が突出するから、先頭の単位丸太柵では両端で該スパナ掛け部によるスパナでの拘束、締結ができ、締結作業が極めて簡易確実なものとなる。なお、ツバのある高ナットでは、先頭の単位丸太柵の一端側で丸太材の外面にツバを当接するが、他端側で長尺ボルトのネジ部に螺合した高ナットで締め込むとき、一端側の高ナットも長尺ボルトと共に共回りするおそれがあり、一端側の高ナットのツバにレンチ等の工具で拘束することになるが、ツバの外周に所要の二面幅のスパナ掛け部を形成することもある。
また、丸太柵の組立てに際しては、所要本数の丸太材から成る単位丸太柵を長尺ボルトと、該長尺ボルトの両端のネジ部に螺合する高ナットで一括りとした柵ユニットを工場生産で量産し、必要数の柵ユニットを組立て現場に搬送し、現場で先頭の柵ユニットを除き、後続の各柵ユニットの一端側の高ナットを外して前方の柵ユニットの他端側の高ナットに長尺ボルトの一端側のネジ部を螺合し、各丸太材の下端を所要の開脚状態で緊結し、順次にこの作業を繰り返し、各丸太材の下端を地中に埋め固めて長尺のフェンスが構築される。柵ユニットの生産では丸太材の直径のバラツキにより単位丸太柵の全幅寸法も変化するから、全幅寸法に対応して長尺ボルトの必要寸法が決定され、したがって、ネジ部は調製代分長く螺設され、高ナットにおける螺合寸法に見合わせてネジ部の必要長さがネジ山を潰すかピンを打ち込む調製される。
【実施例】
【０００８】
本発明の丸太柵要素ａを実施例により説明すると、図２に示すように、所要長さの１０本の丸太材１がその上端部で直径方向に高ナット２を挿通する口径の挿通孔３を貫設した単位丸太柵４として準備される。高ナット２は図３に示すように一端にツバ５を一体にした長いナットで、長尺ボルト６はその全長が単位丸太柵４の全幅に同等で両端に高ナット２に螺合するネジ部７を設けている。
組み立てるには、図１に示すように、単位丸太柵４の一端側（左側）の丸太材１の挿通孔３に高ナット２を挿入してツバ５を丸太材１の外面に当接し、一連の挿通孔３に挿通した長尺ボルト６の一端側のネジ部７を高ナット２に螺合すると、高ナット２の半分程に螺合したときに長尺ボルト６が高ナット２に位置決めされる。この状態で長尺ボルト６の他端側のネジ部７にツバ５を単位丸太柵４の他端側（右側）の丸太材１の外面に向けて高ナット２を螺合すると、各丸太材１相互間の隙間が狭められ、さらに一端側の高ナット２のツバ５をレンチで拘束し、他端側の高ナット２をスパナで締め込むと長尺ボルト６は共回りすることなく高ナット２に螺合し、単位丸太柵４の各丸太材１の下端相互を図２（ｂ）に示すように所要の開脚状態に保持して高ナット２を同じく緊結して各丸太材相互を緊着し下端部を地中に埋め固めれば先頭の柵ユニット８の構築が完了する。次いで、後続の単位丸太柵４挿通孔３に挿通した長尺ボルト６の一端側のネジ部７を前記他端側の高ナット２に螺合し、長尺ボルト６が回転できない状態までネジ込み、長尺ボルト６の他端側のネジ部７に前記と同様の要領で高ナット２を螺合し、高ナット２をスパナで締め込み、各丸太材１の下端相互を前方の柵ユニット８の開脚状態と同様の開脚状態で緊結し、下端部を地中に埋め固めれば後続の柵ユニット８が構築される。この要領で順次に柵ユニット８が構築され、長尺なフェンスが構築される。
【０００９】
本発明の丸太柵要素ｂの実施例は、図４に示すように、所要長さの１０本の丸太材で形成される単位丸太柵４、がその上端部に貫設される挿通孔４の孔径を長尺ボルト６の挿通できる径とした９本の主丸太材９と、主丸太材９の一端側に添設される該丸太材１０とから成り、該丸太材１０は前記挿通孔３と同芯に外面からツバ付きの高ナット２の外径を挿通できる内径と、ツバ５を除く高ナット２の全長を挿通するに足る深さとから成る嵌入孔１１を形成している。
この単位丸太柵４は図４に示すように、一端側の端丸太材１０の嵌入孔１１に高ナット２を嵌入してツバ５を端丸太材１０の外面に当接し、残りの主丸太材９の一連の挿通孔３に挿通した長尺ボルト６の一端側のネジ部７を高ナット２に螺合すると、所要の螺合空間を残して長尺ボルト６は高ナット２に位置決めされる。この状態で長尺ボルト６の他端側のネジ部７にツバ５を他端側の主丸太材９の外面に向けて高ナット２を螺合すると各丸太材間の隙間が狭められ、一端側の高ナット２のツバ５をレンチで拘束し他端側の高ナット2をスパナで締め込むと長尺ボルト６は共回りすることなく高ナット２に螺合する。単位丸太柵４の各丸太材の下端相互を開脚状態に保持して緊結し、該下端を地中に埋め固めれば先頭の柵ユニット８の構築が完了する。後続の単位丸太柵４の挿通孔３に挿通した長尺ボルト６の一端側のネジ部７を前記他端側の高ナット２に螺合して長尺ボルト６が回転できない状態までネジ込み、長尺ボルト６の他端側のネジ部７に前記と同様の要領で高ナット２を螺合し、高ナット２をスパナで締め込み、各丸太材の下端部を前方の柵ユニット８の開脚状態と同様の開脚状態で緊結し、下端部を地中で埋め固めれば後続の柵ユニット８が構築される。この要領で順次に柵ユニット８が構築され長尺のフェンスが構築される。
【００１０】
本発明の丸太柵要素ｃの実施例は図５に示すように、所要長さの１０本の丸太材で形成される単位丸太柵４が、その上端部に貫設される挿通孔３の孔径を長尺ボルト６の挿通できる径にして成る主丸太材９と、主丸太材９の一側面から挿通孔３と同芯にツバのない高ナット１２の外径より大径のワッシャー１３を挿通できる内径であって、かつ、高ナット１２のスパナ掛け部１４を突出できる深さ（高ナット１２の長さの略半分）の嵌入孔１１を設けた該丸太材１０とから成り、かつ、８本の主丸太材９の両側にそれぞれ端丸太材１０をその嵌入孔１１を外面に開口して添設して成っている。この状態で両者の上端部に貫設された挿通孔３に長尺ボルト６を挿通し、単位丸太柵４の一端側端丸太材１０の嵌入孔１１においては長尺ボルト６の一端側のネジ部７にワッシャー１３を介在させて高ナット１２を螺合し、高ナット１２を端丸太材１０の外面よりスパナ掛け部１４を突出させるとともに、他端側端丸太材１０の嵌入孔１１においては長尺ボルト６の他端側のネジ部７にワッシャー１３を介在させて一端側高ナット１２のスパナ掛け部１４をスパナで拘束しつつ他端側の高ナット１２を螺合し、単位丸太柵４の各丸太材の下端部相互を開脚状態で緊結して下端を地中に埋め固めて先頭の柵ユニット８の構築が完了する。後続の単位丸太柵４の挿通孔３に挿通した長尺ボルト６の一端側のネジ部７を先頭の単位丸太柵４の他端側端丸太材１０の高ナット１２に螺合し、後続の単位丸太柵４の他端側端丸太材１０の嵌入孔１１において、長尺ボルト６の他端側のネジ部７にワッシャー１３を介在させて高ナット１２を螺合し、高ナット１２をスパナで締め込み、各丸太材の下端部相互を先頭の柵ユニット８の開脚状態と同様の開脚状態で緊結し、該下端を地中に埋め固めて後続の柵ユニット８が構築される。この要領で長尺なフェンスが構築される。
【産業上の利用可能性】
【００１１】
本発明は林業分野で間伐材の利用促進に寄与するものである。
【図面の簡単な説明】
【００１２】
【図１】本発明の丸太柵要素ａによる柵ユニットの要部の説明図。
【図２】丸太柵要素ａにおける単位丸太柵の説明図で、（ａ）は正面図、（ｂ）は（ａ）の右側面図。
【図３】ツバ付きの高ナットの斜視図。
【図４】本発明の丸太柵要素ｂによる柵ユニットの要部の説明図。
【図５】本発明の丸太柵要素ｃによる柵ユニットの要部の説明図。
【符号の説明】
【００１３】
１  丸太材
２  高ナット
３  挿通孔
４  単位丸太柵
５  ツバ
６  長尺ボルト
７  ネジ部
８  柵ユニット
９  主丸太材
１０  端丸太材
１１  嵌入孔
１２  高ナット
１３  ワッシャー
１４  スパナ掛け部
ａ乃至ｃ  丸太柵要素
【図１】
2005188090.tif 000003
【図２】
2005188090.tif 000004
【図３】
2005188090.tif 000005
【図４】
2005188090.tif 000006
【図５】
2005188090.tif 000007